(57)【要約】【課題】手差しトレイなどのトレイが画像形成装置本体に対して位置ずれすることを防止できるトレイ位置決め機構及び画像形成装置を提供する。【解決手段】手差しトレイ２４から用紙を供給する場合には手差しトレイ２４を画像形成装置本体１２に対して開いた状態にする。このとき手差しトレイ２４を構成するトレイ本体部２６の突部３６が画像形成装置本体カバー３２の切欠部３８に挿入され、突部３６と切欠部３８とが係合した状態となる。これにより、例えばユーザが幅ガイド部２８をトレイ幅方向に移動させた場合でも手差しトレイ２４の画像形成装置本体１２に対するトレイ幅方向への移動が規制されるため、手差しトレイ２４が画像形成装置本体１２に対してトレイ幅方向に移動することを防止できる。【選択図】      図４
2007218950.tif 000002
【特許請求の範囲】
【請求項１】
用紙に所定の情報を印字する画像形成装置本体と、前記画像形成装置本体に設けられたトレイと、を有する画像形成装置に用いられるトレイ位置決め機構であって、
前記トレイと前記画像形成装置本体に、前記トレイの前記画像形成装置本体に対するトレイ幅方向への移動を規制する移動規制部を設けたことを特徴とするトレイ位置決め機構。
【請求項２】
前記トレイは前記画像形成装置本体に対して開閉可能に設けられ、
前記移動規制部は、前記トレイに設けられた突部と、前記画像形成装置本体に設けられ前記トレイが前記画像形成装置本体に対して開いたときに前記突部が挿入されて前記突部と係合する切欠部と、で構成されていることを特徴とする請求項１に記載のトレイ位置決め機構。
【請求項３】
前記移動規制部は、前記トレイ及び前記画像形成装置本体の幅方向一方側端部又はその近傍に設けられていることを特徴とする請求項１又は２に記載のトレイ位置決め機構。
【請求項４】
請求項１乃至３のいずれか１項に記載のトレイ位置決め機構を備えたことを特徴とする画像形成装置。
【発明の詳細な説明】
【技術分野】
【０００１】
本発明は、画像形成装置に設けられている手差しトレイなどのトレイを位置決めするトレイ位置決め機構及び画像形成装置に関する。
【背景技術】
【０００２】
従来の画像形成装置には、用途に応じて用紙を手差しで給紙できる手差しトレイが設けられている。この手差しトレイは本体である画像形成装置に対して開閉可能に設けられており、使用時には手差しトレイが画像形成装置に対して開いた状態になる。手差しトレイにより用紙を給紙する場合には、ユーザは、画像形成装置本体から手差しトレイを開けた後、この手差しトレイに用紙を載せ、手差しトレイに設けられた幅ガイドを手差しトレイの幅方向に移動させて用紙の大きさに合わせて調節する。
【特許文献１】特開平１０−４５２８２号公報
【発明の開示】
【発明が解決しようとする課題】
【０００３】
ところで、幅ガイドを調節する際には、ユーザは幅ガイドをユーザ側からユーザ側と反対側に向かって移動させるため、手差しトレイが画像形成装置本体に対してユーザ側と反対側に位置ずれすることがある。手差しトレイが画像形成装置本体に対して位置ずれすると、手差しトレイ上の用紙の位置も画像形成装置本体に対して位置ずれしてしまい、用紙への印字位置がずれるという問題が生じる。
【０００４】
そこで、本発明は、上記事情を考慮し、手差しトレイなどのトレイが画像形成装置本体に対して位置ずれすることを防止できるトレイ位置決め機構及び画像形成装置を提供することを目的とする。
【課題を解決するための手段】
【０００５】
請求項１に記載の発明は、用紙に所定の情報を印字する画像形成装置本体と、前記画像形成装置本体に設けられたトレイと、を有する画像形成装置に用いられるトレイ位置決め機構であって、前記トレイと前記画像形成装置本体に、前記トレイの前記画像形成装置本体に対するトレイ幅方向への移動を規制する移動規制部を設けたことを特徴とする。
【０００６】
請求項１に記載の発明によれば、トレイと画像形成装置本体には、トレイの画像形成装置本体に対するトレイ幅方向への移動を規制する移動規制部が設けられているため、トレイが画像形成装置本体に対してトレイ幅方向に移動することを防止できる。この結果、トレイ上に載置された用紙が画像形成装置本体に対して位置ずれすることを防止でき、用紙への印字位置がずれることを防止できる。
【０００７】
請求項２に記載の発明は、請求項１に記載のトレイ位置決め機構において、前記トレイは前記画像形成装置本体に対して開閉可能に設けられ、前記移動規制部は、前記トレイに設けられた突部と、前記画像形成装置本体に設けられ前記トレイが前記画像形成装置本体に対して開いたときに前記突部が挿入されて前記突部と係合する切欠部と、で構成されていることを特徴とする。
【０００８】
請求項２に記載の発明によれば、トレイに突部を設け、画像形成装置本体に突部と係合する切欠部を設けるだけで、移動規制部を容易に形成することができる。また、トレイが画像形成装置本体に対して開いたときに突部が切欠部に挿入されて突部と切欠部とが係合するため、トレイが画像形成装置本体に対して開くだけでトレイのトレイ幅方向への移動を容易に規制することができる。
【０００９】
請求項３に記載の発明は、請求項１又は２に記載のトレイ位置決め機構において、前記移動規制部は、前記トレイ及び前記画像形成装置本体の幅方向一方側端部又はその近傍に設けられていることを特徴とする。
【００１０】
請求項３に記載の発明によれば、移動規制部はトレイ及び画像形成装置本体の幅方向一方側端部又はその近傍に設けられているため、ユーザがトレイ及び画像形成装置本体の幅方向他方側端部又はその近傍に位置して手差し用紙の給紙作業を行う際に、用紙やユーザの手が移動規制部に不意に引っ掛かることを防止できる。この結果、手差し用紙の給紙作業を円滑に行うことができる。
【００１１】
請求項４に記載の発明は、請求項１乃至３のいずれか１項に記載のトレイ位置決め機構を備えた画像形成装置であることを特徴とする。
【００１２】
請求項４に記載の発明によれば、画像形成装置を構成するトレイと画像形成装置本体には、トレイの画像形成装置本体に対するトレイ幅方向への移動を規制する移動規制部が設けられているため、トレイが画像形成装置本体に対してトレイ幅方向に移動することを防止できる。このため、トレイ上に載置された用紙が画像形成装置本体に対して位置ずれすることを防止でき、用紙への印字位置がずれることを防止できる。
【発明の効果】
【００１３】
本発明によれば、手差しトレイなどのトレイが画像形成装置本体に対して位置ずれすることを防止できる。
【発明を実施するための最良の形態】
【００１４】
次に、本発明の一実施形態に係るトレイ位置決め機構及び画像形成装置について、図面を参照して説明する。
【００１５】
先ず、トレイ位置決め機構を備えている画像形成装置の全体構成について説明する。
【００１６】
図１に示すように、トレイ位置決め機構を備えた画像形成装置１０は、電子写真方式を用いて画像を用紙に形成するための画像形成部１４を設けた画像形成装置本体１２を備えている。この画像形成装置本体１２の下部には給紙部１６が設けられている。この給紙部１６には、１個又は複数個のサイズの異なる用紙を収容する給紙トレイが装備されている。また、画像形成装置本体１２の上部には、ＡＤＦ１８が設けられている。このＡＤＦ１８には、用紙給紙トレイ２０が接続されている。また、用紙給紙トレイ２０の下方には、用紙給紙トレイ２０からＡＤＦ１８に供給された用紙が排出される用紙排紙トレイ２２が形成されている。また、画像形成装置本体１２の側面には、手差しトレイ２４が画像形成装置本体１２に対して開閉可能となるように取り付けられている。この手差しトレイ２４上に載置された用紙は、画像形成装置本体１２の内部に供給され、所定の情報が印字されて画像形成が実行される。
【００１７】
次に、手差しトレイ２４の構成について詳細に説明する。
【００１８】
図２乃至図４に示すように、手差しトレイ２４は、用紙が載置されるトレイ本体部２６を備えている。このトレイ本体部２６の上面には、載置される用紙を幅方向両側からガイドする一対の幅ガイド部２８が設けられている。この幅ガイド部２８は、載置される用紙の幅寸法に対応できるように、用紙の幅方向に移動可能となるように設けられている。また、トレイ本体部２６の先端部には、トレイ本体部２６に載置された用紙の一部を支持する補助トレイ３０が接続されている。
【００１９】
また、手差しトレイ２４は、画像形成装置本体１２側に取り付けられた画像形成装置本体カバー３２に回動可能に設けられている。具体的には、画像形成装置本体カバー３２には軸受部３４が形成されており、手差しトレイ２４に形成された軸部（図示省略）がこの軸受部３４に回動可能に挿入されている。これにより、手差しトレイ２４が軸部において回動することにより、トレイ本体部２６の傾斜角度が大きくなり、また、逆にトレイ本体部２６の傾斜角度が小さくなる。そして、トレイ本体部２６の傾斜角度が大きくなると手差しトレイ２４が画像形成装置本体１２に近づくこと（手差しトレイ２４が閉じた状態）になり、トレイ本体部２６の傾斜角度が小さくなると手差しトレイ２４が画像形成装置本体１２にから遠ざかること（手差しトレイ２４が開いた状態）になる。
【００２０】
ここで、図３に示すように、手差しトレイ２４を構成するトレイ本体部２６のトレイ幅方向一方側端部（画像形成装置１０を所定の位置に配置したときにユーザの立ち位置から離れた側の端部）の部位には、突状のリブ２５が形成されている。このリブ２５の画像形成装置本体カバー３２側には、先端が尖った突部３６が形成されている。また、図４に示すように、画像形成装置本体カバー３２のトレイ幅方向一方側端部（画像形成装置１０を所定の位置に配置したときにユーザの立ち位置から離れた側の端部）の部位（突部３６と対応する部位）には、手差しトレイ２４が開いたときに突部３６（図４では図示省略）が挿入する切欠部３８が形成されている。手差しトレイ２４が開いたときには突部３６が切欠部３８に挿入されて突部３６と切欠部３８が係合され、手差しトレイ２４が閉じられたときには突部３６が切欠部３８から外れて突部３６と切欠部３８との係合が解除される。
【００２１】
次に、本実施形態の一実施形態に係るトレイ位置決め機構及び画像形成装置１０の作用について説明する。
【００２２】
図１及び図４に示すように、手差しトレイ２４から用紙を供給する場合には、手差しトレイ２４を画像形成装置本体１２に対して開いた状態にする。このとき、手差しトレイ２４を構成するトレイ本体部２６の突部３６が画像形成装置本体カバー３２の切欠部３８に挿入され、突部３６と切欠部３８とが係合した状態となる。これにより、例えばユーザが幅ガイド部２８をトレイ幅方向に移動させた場合でも、手差しトレイ２４の画像形成装置本体１２に対するトレイ幅方向への移動が規制されるため、手差しトレイ２４が画像形成装置本体１２に対してトレイ幅方向に移動することを防止できる。この結果、手差しトレイ２４上に載置された用紙が画像形成装置本体１２に対して位置ずれすることを防止でき、用紙への印字位置がずれることを防止できる。
【００２３】
また、手差しトレイ２４に突部３６を設け、画像形成装置本体カバー３２に突部３６と係合する切欠部３８を設けるだけで、手差しトレイ２４のトレイ幅方向への移動を容易に阻止することが可能となる。また、手差しトレイ２４が画像形成装置本体１２に対して開いたときに突部３６が切欠部３８に挿入されて突部３６と切欠部３８とが係合するため、手差しトレイ２４が画像形成装置本体１２に対して開くだけで手差しトレイ２４のトレイ幅方向への移動を容易に規制することができる。
【００２４】
また、突部３６の先端が尖っているので、突部３６と切欠部３８の位置（相対位置）がずれていても、突部３６の少なくとも先端が切欠部３８に入れば、その後突部３６が押入れされるにつれて、手差しトレイ２４が所定の位置に案内される。
【００２５】
特に、突部３６及び切欠部３８が手差しトレイ２４及び画像形成装置本体カバー３２の幅方向一方側端部又はその近傍に設けられているため、ユーザが手差しトレイ２４及び画像形成装置本体カバー３２の幅方向他方側端部又はその近傍に位置して手差し用紙の給紙作業を行う際に、用紙やユーザの手が突部３６や切欠部３８に不意に引っ掛かることを防止できる。この結果、手差し用紙の給紙作業を円滑に行うことができる。
【図面の簡単な説明】
【００２６】
【図１】本発明の一実施形態に係る画像形成装置の概略構成図である。
【図２】本実施形態の一実施形態に係る画像形成装置を構成する手差しトレイの斜視図である。
【図３】本実施形態の一実施形態に係る画像形成装置を構成する手差しトレイに設けられた突部の拡大図である。
【図４】本実施形態の一実施形態に係る画像形成装置を構成する手差しトレイに形成されたリブと画像形成装置本体に設けられた切欠部との位置関係を示す部分的な斜視図である。
【符号の説明】
【００２７】
１０        画像形成装置
１２        画像形成装置本体
２４        手差しトレイ（トレイ）
３６        突部（移動規制部）
３８        切欠部（移動規制部）
【図１】
2007218950.tif 000003
【図２】
2007218950.tif 000004
【図３】
2007218950.tif 000005
【図４】
2007218950.tif 000006